(57)【特許請求の範囲】
【請求項１】
携帯電話機であって、
（Ａ）進行中の呼から受信した音声情報を可聴的に出力する音声出力（１０４）を有する無線ネットワーク呼処理装置（１００）、
（Ｂ）前記無線ネットワーク呼処理装置による送信／受信から区別された情報を放送する送信出力（１８）、
（Ｃ）ユーザからの共有命令を受信するユーザインターフェース（１９）、
（Ｄ）前記ユーザインターフェース（１９）により制御され、音声情報を表す情報を前記送信出力（１８）に供給する無線ブロードキャスト送信器（１６）であって、前記共有命令に応じて近傍にある携帯電話機の受信器に前記情報を再放送し、前記情報が不可聴媒体を介して放送される音声情報である、無線ブロードキャスト送信器（１６）、及び
（Ｅ）前記音声出力に結合された無線ブロードキャスト受信装置（１２、１４）
からなり、
前記ユーザインターフェース（１９）が該ユーザからの第１のタイプの命令を受信するよう構成されるとともに、該ユーザインターフェースが、該第１のタイプの命令を受信すると前記無線ブロードキャスト受信装置（１２、１４）が受信した情報から復号化された音声を出力するよう前記音声出力（１０４）を許可するよう構成され、
前記ユーザインターフェース（１９）が該ユーザからの第２のタイプの命令も受信するよう構成されるとともに、該ユーザインターフェースが、該第２のタイプの命令に応じて、前記呼処理装置が前記無線ブロードキャスト受信装置（１２、１４）から受信した音声情報を該呼を介して送信することを可能とするよう構成され、
前記ユーザからの該呼を介した送信用の入力音声情報を入力するマイクロホン（１０６）を有し、前記呼処理装置（１００）が、前記ユーザインターフェースを介したユーザ指示に従って、前記進行中の呼から受信した音声情報及び、選択的に、前記入力音声情報を前記無線ブロードキャスト送信器（１６）に出力することを特徴とする携帯電話機。
【請求項２】
請求項１記載の携帯電話機において、前記無線ブロードキャスト送信器（１６）が、前記呼処理装置が呼を処理している間、該入力音声情報を表す情報を前記無線送信出力（１８）に供給し、前記ユーザインターフェース（１９）からの命令に応じて処理中の該呼からの音声情報を組み合わせて１以上の受信器に放送するよう構成された携帯電話機。
【請求項３】
請求項１又は２記載の携帯電話機において、前記無線送信出力（１８）を介して、暗号化された通信チャネルを確立するプロトコルを実行するよう構成された携帯電話機。
【請求項４】
請求項１から３いずれか一項記載の携帯電話機において、前記呼処理装置（１００）が、呼を処理していない間もローカル音声信号を１以上の受信器と通信するよう構成された携帯電話機。
【発明の詳細な説明】
【０００１】
【発明の属する技術分野】
本発明は携帯電話機（携帯電話器）に関する。
【０００２】
【従来の技術】
電話の利用者は、電話の相手以外の第三者と自分達の電話の呼び（通話）を共有したいと望むことがある。従来技術においては、このような要望は様々な解決方法により解決されていた。まず第１に電話器にスピーカーを具備させて、電話器が配置されている部屋の中に来入した呼びの音声を聞こえるようにすることである。ユーザ（利用者）が部屋の中で複数の人と電話の呼びを共有しようと望む場合には、利用者はスピーカーとマイクロフォンのスイッチを入れる方式である。
【０００３】
別の解決方法においては、電話ネットワークは、カンファレンスコール（会議通話、会議電話）を用意している。会議通話は、３人以上のユーザのグループを接続する。会議通話においては電話ネットワークは、そのグループの各メンバーからの音声を別のメンバーにルーティングしている。基本的に会議通話のスピーカーによる解決方法は、２つの異なる状況を提供する。その１つは通話の参加者が異なる場所にいる場合であり、もう１つは参加者が同一の場所（部屋）にいる場合である。当然の事ながら電話会議の参加者のサブグループが１つの部屋に集まっている場合には、これらの２つの解決方法を組み合わせることが出来る。スピーカーによる解決方法は、余分の接続コストを必要としない点で有利である。更にまた会議電話を確立するための複雑な手続き（会議参加者の電話番号を見つけたり、それにダイヤルする等）を必要としない。スピーカーによる解決方法及び会議電話による解決方法の両方とも携帯電話器にも適用可能である。
【０００４】
しかしスピーカーによる解決方法は、携帯電話器に対してはそれほど魅力的なものではない。その第１の理由は、スピーカーは大きすぎることであり、第２の理由は、従来の電話器と異なり、携帯電話器は会話の内容が漏れるのが好ましくない様な公共の場所で用いられるからである。かくして携帯電話器に対しては電話会議の解決方法のみが唯一の解決方法であるが、そのためには呼びを確立するための複雑さ及び接続コストの上昇を受け入れなければならない。
【０００５】
【発明が解決しようとする課題】
本発明の目的は、携帯電話器のユーザが電話会議に伴う余分のネットワークのコストを必要とすることなく呼びを共有できるようにすることである。
【０００６】
【課題を解決するための手段】
本発明は前記課題を解決するために、本発明は請求項１に記載した特徴を有する。即ち（Ａ）進行中の呼びから受領した音声情報を可聴的に出力する音声出力を有する無線ネットワーク呼び処理装置と、（Ｂ）前記無線ネットワーク呼び処理装置による送信／受信から、区分された情報を放送する無線放送装置と、（Ｃ）ユーザからの共有命令を受領するユーザインターフェースと、（Ｄ）前記ユーザインターフェースにより制御され音声情報を表す情報を、前記無線放送装置に供給する接続装置とを有し、前記共有命令に応じて携帯電話器の近傍にある受信器に前記情報を再放送し、前記情報は不可聴媒体を介して放送される音声情報を表すことを特徴とする携帯電話器である。
【０００７】
本発明による携帯電話器は、携帯電話器が受信した呼びを出力するために、その携帯電話器の近傍にある他のデバイス（好ましくは第３の携帯電話器）で使用することができる信号を放送する。かくして一方では、呼びを確立するために会議電話の設定は必要ではなくなり、他方では呼びは携帯電話器からその携帯電話器の近傍の誰もが聞くことのできる音声として出力する必要はなくなる。好ましくは携帯電話器は、他の電話器からの放送を受領し、放送により表された音声を通常の電話器の音声出力を介して出力するような機器が具備される。かくして携帯電話器のユーザが呼びが共有されるべきと指示した場合には、それ自身に対する呼びを確立することなく、携帯電話器はその近傍にある携帯電話器が受領する呼びを聞くように用いることができ、更に別の実施例は、携帯電話器はその近傍の携帯電話器から共有された呼びへ通話を追加するために用いることができる。
【０００８】
【発明の実施の形態】
図１は、本発明の携帯電話器のブロック図である。本発明の携帯電話器の従来の構成部分１０は、ネットワーク呼び処理装置１００、アンテナ１０２，音声出力１０４，音声入力１０６を有する。従来の構成部分１０に加えて本発明の携帯電話器は、送信用入力１４を具備するブロードキャスト受信器１２と、送信用出力１８を具備するブロードキャスト送信器１６と、ユーザインターフェース１９とを有する。（実際にはブロードキャスト受信器１２の送信用入力１４とブロードキャスト送信器１６の送信用出力１８は一本のアンテナに組み合わされて、更にはまた従来の構成部分１０のアンテナ１０２でもよい。）ブロードキャスト受信器１２とブロードキャスト送信器１６は、ネットワーク呼び処理装置１００に接続される。ユーザインターフェース１９は、ブロードキャスト受信器１２とブロードキャスト送信器１６に接続される。ユーザインターフェース１９は、ネットワーク呼び処理装置１００に対する接続構成（図示せず）を有する。
【０００９】
図２は、第１携帯電話器２０と、第２携帯電話器２８と、第３携帯電話器２２ａ，ｂと、ネットワーク２５との間の関係を示す。少なくとも第１携帯電話器２０と、第３携帯電話器２２ａ，ｂは、図１に示したものとして実現される。第３携帯電話器２２ａ，ｂは、例として２個示されている。呼びは、第１携帯電話器２０と第２携帯電話器２８との間の接続を提供するが、これは第１携帯電話器２０との無線信号を交換するネットワーク２５内の第１基地局２４と、第２携帯電話器２８との無線信号を交換するネットワーク２５内の第２基地局２６を介して行われる。第１基地局２４と第２基地局２６との間で、ネットワーク２５は、コアネットワーク（図示せず）を含むか、あるいは単一の基地局が第１携帯電話器２０と第２携帯電話器２８の両方をカバーしてもよい。例として第２携帯電話器２８が示されているが、これは必ずしも本発明に必須の事項ではなく、ネットワーク２５に接続されるどのような種類の電話器も第２携帯電話器２８の代わりに用いることが出来る。
【００１０】
次に動作について説明する。第１携帯電話器２０は、第３携帯電話器２２ａ，ｂとローカル信号を交換する。呼びが第１携帯電話器２０と、第２携帯電話器２８を接続するネットワーク２５を介して従来通り、例えばＧＳＭ標準を用いて確立される。第１携帯電話器２０のユーザが、第三者と呼びを共有しようとする場合には、ユーザは第１携帯電話器２０に対しユーザインターフェース１９を介して呼びの共有を開始するよう指示する。ユーザインターフェース１９は、例えばメニュー形式で動作可能であり、ユーザは共有指示メニューを選択し、そのメニュー内で現在の呼びのオプションの共有手続きの開始を選択する。ユーザが携帯電話器に介し、ユーザが携帯電話器に呼びの共有を開始するよう指示すると、ユーザインターフェース１９は、ブロードキャスト送信器１６を活性化して、音声出力１０４に与えられる信号を取り出しこの信号を送信出力１８に送る。
【００１１】
この実施例においては、ネットワーク呼び処理装置１００は、結合信号をブロードキャスト送信器１６に出力する。結合信号とは、音声出力１０４に通常与えられる信号と、第２携帯電話器２８にネットワーク２５を介して通常送られる音声入力１０６から受領した信号とを組み合わせたものである。第１携帯電話器２０と第３携帯電話器２２ａ，ｂがユーザが互いに音声を聞くことの出来る狭い範囲で共有の呼びを動作するよう意図するような場合の実施例においては、この信号の組み合わせは、削除するかあるいはオプションとしてユーザインターフェース１９を介したコマンドにより活性化するようにすることも出来る。
【００１２】
ブロードキャスト送信器１６は、ネットワーク呼び処理装置１００からの音声情報を、送信出力１８から放射されるべき高周波電磁信号に変換する。例えば信号のbluetooth typeを用いることも出来る。しかし他の種類のプロトコールあるいは他の種類の信号例えば変調された超音波信号、赤外線信号を用いることも出来る。好ましくは、音声情報はデジタルで送信信号に符号化されるのがよい。
【００１３】
第３携帯電話器２２ａ，ｂの利用者は、第３携帯電話器２２ａ，ｂがそれぞれのユーザインターフェース１９を介して共有された呼びに加わるよう命令出来るオプションを有する。これは、第３携帯電話器２２ａ，ｂ上の適宜のメニューオプションを選択することにより実現される。このコマンドに応答して第３携帯電話器２２ａ，ｂは、そのブロードキャスト受信器１２を活性化して、第１携帯電話器２０の送信器から放送された信号を受領し、この受領した信号をネットワーク呼び処理装置１００に送る。ネットワーク呼び処理装置１００は、信号に応答する音声を音声出力１０４に出力し、この出力はネットワークの呼びからの音声を出力するために通常用いられる。かくして第３携帯電話器２２ａ，ｂのユーザは、第１基地局２４と第２基地局２６から第１携帯電話器２０が受領した音声信号を聞くことができ、更にまたネットワーク２５に送信されるために、第１携帯電話器２０のユーザが話した音声も同時に聞くことができる。
【００１４】
後者の構成は、ユーザが選択可能なものであり、その結果ユーザは、第２携帯電話器２８からの送信音声すなわち出力音声と、第１携帯電話器２０で話された音声すなわち第２携帯電話器２８からの音声のみの間で選択することができる。かくして第３携帯電話器２２ａ，ｂが、第１携帯電話器２０近傍にあるときには、ユーザは第１携帯電話器２０のユーザの音声を直接、即ち第３携帯電話器２２ａ，ｂを介さずに聞くことができ、ユーザが離れている場合には、、ユーザは、第３携帯電話器２２ａ，ｂを介して音声を聞くことができる。これは第１携帯電話器２０上のローカル音声のオプション／ノンローカル音声のメニューの間で選択することにより実現され、このメニューは音声入力１０６からの音声情報がブロードキャスト送信器１６により送信された信号に付加されるか否かを指示する。
【００１５】
別の方法として、音声入力１０６からの情報と、第２携帯電話器２８からの情報の両方を送信器を介して別々に送信することもでき、また第３携帯電話器２２ａ，ｂのユーザが、第３携帯電話器２２ａ，ｂ上のメニューオプションを用いてこれらの信号の両方あるいは一方の信号のみを第３携帯電話器２２ａ，ｂで出力するよう指示（命令）することが出来る。かくして異なる第３携帯電話器２２ａ，ｂのユーザは、第１携帯電話器２０までの距離に従って、異なるモードで動作するよう決定することができる。
【００１６】
好ましくは第１携帯電話器２０と第３携帯電話器２２ａ，ｂは、第３携帯電話器２２ａ，ｂが話した音声を、第１携帯電話器２０に戻し、更に第２携帯電話器２８にネットワーク２５を介して出力する、または第１携帯電話器２０の音声出力１０４に出力するようなオプションを有する。このために第３携帯電話器２２ａ，ｂのブロードキャスト送信器１６と、第１携帯電話器２０のブロードキャスト受信器１２とが活性化される。第１携帯電話器２０と／または第３携帯電話器２２ａ，ｂは、この活性化を制御するメニューオプションを有する。かくして第３携帯電話器２２ａ，ｂのユーザは会話に参加することができる。
【００１７】
本発明の一実施例においては、携帯電話器間のローカル通信用に呼びが活性化されていないときにもローカル送信または受信を用いるようにしてもよい。好ましくは携帯電話器は呼びが成されている間、呼びからのローカル通信の活性化をサポートする。各呼びに対するローカル通信は、呼びが開始した時あるいは呼びの開始の前の所定（短い）時間内に通常呼びの開始の前１分未満の間活性化しなければならない。呼びのローカル通信は、呼びが開始する前、任意の時間あらかじめ活性化させるようにすることはできない。かくして他者がその呼びを偶発的に聞くようにするのを阻止している。
【００１８】
本発明の一実施例においては、第１携帯電話器２０と、第３携帯電話器２２ａ，ｂとの間の通信の秘密は暗号化装置、あるいは送信出力１８内にチャネルホッピング装置（図示せず）を含めることにより保護される。非常に高い秘密度が必要とされない場合には、簡単な暗号化システム、例えば信号を擬似ランダムシーケンスからの数と組み合わせるようなシステムを用いることができる。受信中の第１携帯電話器２０と、第３携帯電話器２２ａ，ｂは、ブロードキャスト受信器１２内にそれに対応する脱暗号化（解読）装置、あるいはホッピング装置（図示せず）を含む。
【００１９】
少なくとも呼びの開始時に、第１携帯電話器２０と、第３携帯電話器２２ａ，ｂは、脱暗号化と／または対応するホッピング、例えば乱数シーケンスのシード（供給源）を活性化するために情報を交換する。この情報交換が時間選択性である実施例においては、この情報交換は、第１携帯電話器２０と、第３携帯電話器２２ａ，ｂが同時に例えば１秒未満の間のみ行われる。本発明の他の実施例においては、この情報交換は、第１携帯電話器２０と第３携帯電話器２２ａ，ｂ内の高度に方向性の送信器と受信器（図示せず）、例えば暗号化装置と脱暗号化装置に結合される方向性の赤外線信号などの手段により行われる。かくして暗号化を実行する情報は、ユーザがそれぞれの第１携帯電話器２０，第３携帯電話器２２ａ，ｂを互いに指示し情報交換を可能とするようなメニューを選択したときのみ交換される。
【００２０】
以上述べたように本発明により、局部的に存在する携帯電話器の間の信号を共有するために電話ネットワークを使用せずに、局部的に送信された信号を用いて異なる携帯電話器間で呼びを共有するシステムが提供できる。当然の事ながら信号は携帯電話器以外のデバイス（例えば聞き取り専用デバイス）でも受信することが出来る。
【００２１】
以上の説明は、本発明の一実施例に関するもので、この技術分野の当業者であれば、本発明の種々の変形例を考え得るが、それらはいずれも本発明の技術的範囲に包含される。尚、特許請求の範囲に記載した参照番号がある場合は、発明の容易な理解のためで、その技術的範囲を制限するよう解釈されるべきではない。
【図面の簡単な説明】
【図１】携帯電話器を表すブロック図。
【図２】複数の携帯電話器の間の動作を表す図。
【符号の説明】
１０  従来の構成部分
１００  ネットワーク呼び処理装置
１０２  アンテナ
１０４  音声出力
１０６  音声入力
１２  ブロードキャスト受信器
１４  送信用入力
１６  ブロードキャスト送信器
１８  送信出力
１９  ユーザインターフェース
２０  第１携帯電話器
２８  第２携帯電話器
２２  第３携帯電話器
２５  ネットワーク
２４  第１基地局
２６  第２基地局
【図１】
0004198946.tif 000002
【図２】
0004198946.tif 000003